(57)【要約】【課題】スプレー本体部を共通部品として流用し且つカバー部のみを別部品として取り替えることで多種多様なデザインが付加されたスプレー本体部を低コストで製作することが可能なトリガー式スプレー容器を提供する。【解決手段】スプレー本体部（２０）を、その長手方向がスプレー本体部（２０）の長手方向に一致したセンターフレーム板（４０）によって上下方向から挟み込みながらベースキャップ（５０）上に安定して組み付ける。なお、センターフレーム板（４０）の左右両側面に沿ってスリット溝（４０ａ）を形成し、左・右カバー部（３１,３２）の各内面にそのスリット溝（４０ａ）に嵌合する差し込み片（３１ｂ,３２ｂ）をそれぞれ形成する。【選択図】図２
2014198583.tif 000002
【特許請求の範囲】
【請求項１】
内容液を収容する容器本体（１０）と、内容液を該容器本体（１０）から吸引・圧送するポンプ部（２１）を有するスプレー本体部（２０）と、該スプレー本体部（２０）を前記容器本体（１０）に取り付けるベースキャップ（５０）とを備えたトリガー式スプレー容器であって、
前記スプレー本体部（２０）は、左右両側面に沿ってスリット溝（４０ａ,４１ａＵ,４１ａＬ,４２ａ）が形成され且つその長手方向がスプレー本体部（２０）の長手方向に一致したセンターフレーム板（４０,４１Ｕ,４１Ｌ,４２）によって上下方向から挟まれながら前記ベースキャップ（５０）上に組み付けられていることを特徴とするトリガー式スプレー容器。
【請求項２】
前記スプレー本体部（２０）に取り付けられるカバー部（３０）は、二分割された左・右カバー部（３１,３２、３４,３５、３７,３８）から成り、そのカバー部の各内面には前記センターフレーム板（４０）の各スリット溝（４０ａ,４１ａＵ,４１ａＬ,４２ａ）に嵌合する差し込み片（３１ｂ,３２ｂ、３４ｂ,３５ｂ、３４ｃ,３５ｃ、３７ｂ,３８ｂ）が形成されている請求項１記載のトリガー式スプレー容器。
【請求項３】
前記左・右カバー部（３７,３８）の各内面には互いを結合する嵌合手段（３７ｃ,３８ｃ）が設けられている請求項１又は２記載のトリガー式スプレー容器。
【請求項４】
前記スプレー本体部（２０）の上下に取り付けられた前記センターフレーム板（４０,４２）は一体化して構成されている請求項１又は２記載のトリガー式スプレー容器。
【請求項５】
前記スプレー本体部（２０）の上下に取り付けられた前記センターフレーム板（４１Ｕ,４１Ｌ）は分離して構成されている請求項１又は２記載のトリガー式スプレー容器。
【請求項６】
前記スリット溝（４０ａ,４１ａＵ,４１ａＬ,４２ａ）は、前記センターフレーム板（４０,４１Ｕ,４１Ｌ,４２）の左右両側面に沿って部分的に形成されている請求項１から５の何れかに記載のトリガー式スプレー容器。
【発明の詳細な説明】
【技術分野】
【０００１】
本発明は、トリガー式スプレー容器、特にスプレー本体部を共通部品として流用し且つカバー部のみを別部品として取り替えることで多種多様なデザインが付加されたスプレー本体部を低コストで製作することが可能なトリガー式スプレー容器に関するものである。
【背景技術】
【０００２】
操作レバー（トリガー）を引くことにより、プランジャー（ピストン）がシリンダー内の内容液を加圧・押し出してノズルより外部へ噴出させると供に、そのトリガーを戻すことにより、ピストンがシリンダー内を吸引してシリンダー内に内容液を充填するトリガー式スプレー容器が広く利用されている（例えば、特許文献１および特許文献２を参照。）。
従来のトリガー式スプレー容器の場合、カバー部は一度スプレー本体部に装着されるとスプレー本体部から容易に取り外すことが出来ないように一体化されて組み付けられている。
【先行技術文献】
【特許文献】
【０００３】
【特許文献１】特開２００５−２９６８０７号公報
【特許文献２】特開２００５−１３８９５号公報
【発明の概要】
【発明が解決しようとする課題】
【０００４】
上述した通り、上記従来のトリガー式スプレー容器では、カバー部はスプレー本体部に一体化されて組み付けられているため、カバー部を含むスプレー本体部全体のデザインを変更したい場合、カバー部だけでなくスプレー本体部のデザインも変更する必要があった。そのため、スプレー本体部用の金型とカバー部用の金型を別途新たに製作しなければならず、その結果、デザイン変更に係る製作コストがかかるという問題があった。
そこで、本発明は、上記従来技術の課題に鑑みなされたものであって、本発明の解決しようとする課題は、スプレー本体部を共通部品として流用し且つカバー部のみを別部品として取り替えることで多種多様なデザインが付加されたスプレー本体部を低コストで製作することが可能なトリガー式スプレー容器を提供することを目的とする。
【課題を解決するための手段】
【０００５】
上記技術的課題を解決するための本発明に係る第１手段は、内容液を収容する容器本体と、内容液を該容器本体から吸引・圧送するポンプ部を有するスプレー本体部と、該スプレー本体部を前記容器本体に取り付けるベースキャップとを備えたトリガー式スプレー容器であって、
前記スプレー本体部は、左右両側面に沿ってスリット溝が形成され且つ長手方向が該スプレー本体部の長手方向に一致したセンターフレーム板によって上下方向から挟まれながら前記ベースキャップ上に組み付けられていることを特徴とする。
【０００６】
上記構成では、上記センターフレーム板は、長手方向がスプレー本体部の長手方向に一致した状態でスプレー本体部を上下方向から挟み込む形態で構成されている。更に、上記センターフレーム板の左右両側面にはスリット溝が形成されている。そのため、カバー部については二分割して構成し、分割した各カバー部を上記センターフレーム板に嵌合させることが可能となる。従って、カバー部を含むスプレー本体部全体のデザインを変更する場合、カバー部のみを変更すれば足りるようになる。つまり、カバー部を含むスプレー本体部全体のデザインを変更する場合、上記センターフレーム板を含むスプレー本体部については共通部品として流用する一方、カバー部については別部品として取り替えることが出来るようになる。このように、上記センターフレーム板を含むスプレー本体部を共通部品化し、カバー部のみを別部品として取り替えることで多種多様なデザインが付加されたスプレー本体部を低コストで製作することが可能となる。
【０００７】
本発明に係る第２手段は、前記スプレー本体部に取り付けられるカバー部は、二分割された左・右カバー部から成り、そのカバー部の各内面には前記センターフレーム板の各スリット溝に嵌合する差し込み片が形成されている、ことにある。
【０００８】
上記構成では、上記差し込み片によって、上記センターフレーム板を含むスプレー本体部に対しカバー部を好適に取り付けることが可能となる。その結果、カバー部のみを付け替えることで多種多様なデザインのスプレー本体部を製作することが可能となる。
【０００９】
本発明に係る第３手段は、前記左・右カバー部の各内面には互いを結合する嵌合手段が設けられている、ことにある。
【００１０】
上記構成では、仮に上記センターフレーム板のスリット溝が側面の一部分に形成されている場合であっても、上記嵌合手段によって左・右カバー部を、上記センターフレーム板を含むスプレー本体部に対し安定に取り付けることが可能となる。
【００１１】
本発明に係る第４手段は、前記スプレー本体部の上下に取り付けられた前記センターフレーム板は一体化して構成されている、ことにある。
【００１２】
上記構成では、上記センターフレーム板のスリット溝の長さを十分に長く確保することが可能となり、左・右カバー部を、上記センターフレーム板を含むスプレー本体部に対し安定に取り付けることが可能となる。
【００１３】
本発明に係る第５手段は、前記スプレー本体部の上下に取り付けられた前記センターフレーム板は分離して構成されている、ことにある。
【００１４】
上記構成では、カバー部の後方部において上記センターフレーム板に対する嵌合部がなくなるため、カバー部のデザインの自由度が増え、例えばカバー部の全長を長くすること等が可能となる。
【００１５】
本発明に係る第６手段は、前記スリット溝は、前記センターフレーム板の左右両側面に沿って部分的に形成されている、ことにある。
【００１６】
上記構成では、上記センターフレーム板においてカバー部に対する嵌合部を任意に設定することが可能となり、カバー部のデザインの自由度が更に増えるようになる。
【発明の効果】
【００１７】
本発明のトリガー式スプレー容器によれば、スプレー本体部は上記センターフレーム板によって上下方向から挟まれながらベースキャップ上に安定して組み付けられており、一方、カバー部は上記センターフレーム板の左右両側面に形成されたスリット溝に嵌合するように構成されている。そのため、カバー部については二分割して構成し分割した各カバー部を上記センターフレーム板に嵌合させることが可能となり、その結果、カバー部を含むスプレー本体部全体のデザインを変更する場合、上記センターフレーム板を含むスプレー本体部は共通部品として流用し、カバー部のみを別部品として取り替えることが出来るようになる。このように、上記センターフレーム板を含むスプレー本体部を共通部品化することにより、カバー部のみを別部品として取り替えることで多種多様なデザインが付加されたスプレー本体部を低コストで製作することが可能となる。
また、カバー部は主に上記センターフレーム板のスリット溝に対して嵌合部を有するため、カバー部を設計するに際し主にスリット溝に対する嵌合を考慮すれば良く、カバー部のデザイン、引いてはスプレー本体部全体のデザインに対する自由度が高くなる。
更に、上記センターフレーム板が後方部において一体化して構成されている場合は、上記センターフレーム板のスリット溝の長さを十分に長く確保することが可能となり、カバー部を上記センターフレーム板を含むスプレー本体部に安定に取り付けることが可能となる。
更に、上記センターフレーム板が後方部において分離して構成されている場合は、カバー部の後部においてセンターフレーム板のスリット溝に嵌合する必要がなくなるため、カバー部のデザインに対する自由度が更に高くなり、例えば、カバー部を後方に延伸させ全長を長くすること等が可能となる。
従って、本発明のトリガー式スプレー容器は、カバー部がないスプレー本体部だけでも使用することができ、それだけでも操作性およびデザイン性が高いものとなっている。当然のことながらカバー部をセットしても使用することができ、カバー部をセットすることでさらに操作性及びデザイン性が向上し、カバー部のデザイン、引いてはスプレー本体部全体のデザインについて自由度が高くなる。
【図面の簡単な説明】
【００１８】
【図１】本発明のトリガー式スプレー容器を示す全体説明図である。
【図２】本発明に係るスプレー本体部近傍を示す部分説明図である。
【図３】本発明に係るカバー部を示す斜視説明図である。
【図４】本発明の他の実施形態に係るスプレー本体部近傍を示す部分説明図である。
【図５】本発明の他の実施形態に係るカバー部を示す斜視説明図である。
【図６】本発明の他の実施形態に係るカバー部と上・下センターフレーム板との嵌合を示す斜視説明図である。
【図７】本発明の更に他の実施形態に係るスプレー本体部近傍を示す部分説明図である。
【図８】本発明の更に他の実施形態に係るカバー部を示す斜視説明図である。
【図９】本発明の更に他の実施形態に係るカバー部とセンターフレーム板との嵌合を示す斜視説明図である。
【発明を実施するための形態】
【００１９】
以下、図に示す実施の形態により本発明をさらに詳細に説明する。
【００２０】
図１−２は、本発明のトリガー式スプレー容器１００を示す斜視説明図である。なお、図１は全体説明図であり、図２は本発明に係るスプレー本体部２０近傍を示す部分説明図である。
このトリガー式スプレー容器１００は、内容液（以下、単に「液体」という。）を収容する容器本体１０と、操作レバーを引くことにより液体を外部へ噴出させるスプレー本体部２０と、スプレー本体部２０のシュラウドとしてのカバー部３０と、詳細については図２を参照しながら後述するが、その長手方向がスプレー本体部２０の長手方向に一致しながらスプレー本体部２０を上下方向から挟み込む形態でスプレー本体部２０に一体化し且つカバー部３０と嵌合するセンターフレーム板４０と、スプレー本体部２０を容器本体１０に組み付けるベースキャップ５０とを具備して構成されている。なお、これも詳細については図２−３を参照しながら後述するが、このトリガー式スプレー容器１００では、センターフレーム板４０を含むスプレー本体部２０は共通部品化され、カバー部３０は別部品として取り替え可能に構成されている。そのため、カバー部３０のみを取り替えることで多種多様なデザインが付加されたスプレー本体部２０を低コストで製作することが出来るように構成されている。
【００２１】
また、カバー部３０がない場合であっても、本トリガー式スプレー容器１００は、スプレー（噴出器）としての機能を好適に果たすことが出来るように構成されている。更に、カバー部３０は主に上記センターフレーム板４０のスリット溝４０ａ（図２）に対してのみ嵌合部を有するため、カバー部３０のデザイン、引いてはスプレー本体部全体のデザインに対する自由度が高くなっている。以下、各構成について更に詳細に説明する。
【００２２】
容器本体１０は、収容する液体に対する耐食性を有していれば良く、プラスチック製容器、ガラス製容器あるいは金属製容器であっても良い。
【００２３】
スプレー本体部２０は、図２に示すように、液体を吸引・圧送するポンプ部２１と、ポンプ部２１によって吸引された液体が流れる吸引流路を内部に有するインレットボディ部２２と、ポンプ部２１によって圧送された液体が流れる吐出流路を内部に有するアウトレットボディ部２３と、吐出流路から流れ出る液体を外部へ噴出するノズル部２４と、ポンプ部２１を駆動する操作レバー部２５とから成る。
【００２４】
ポンプ部２１は、いわゆる往復式ポンプであり、本実施形態ではインレットボディ部２２の吸引側と吐出側に１個ずつ合計２個の逆止弁を備え、ピストンの吸引行程においては吸引側の逆止弁が開くのと同時に吐出側の逆止弁が閉じ、他方ピストンの圧縮行程においては吸引側の逆止弁が閉じるのと同時に吐出側の逆止弁が開くように構成されている。なお、本発明のトリガー式スプレー容器において、ポンプ部２１は、操作レバー部２５を引くことにより液体がノズル部２４より噴出するように構成されているものであればその機構については特に問わない。
【００２５】
スプレー本体部２０の動作を簡単に説明すると、操作レバー部２５を引くとポンプ部２１のピストンがシリンダー内の液体を圧縮してインレットボディ部２２の吸引側逆止弁が閉じるのと同時に吐出側逆止弁が開いてシリンダー内の液体が圧送され吐出流路を流れてノズル部２４より外部に噴出される。他方、操作レバー部２５の引きを解除すると例えば弾性部材の弾性力によってピストンが逆の膨張行程を辿りシリンダー内が負圧になりインレットボディ部２２の吸引側逆止弁が開くのと同時に吐出側逆止弁が閉じて、容器本体１０の液体が吸引され吸引流路を流れてシリンダー内に充填されるようになる。以下、操作レバー部２５を引くと同様な動作が繰り返されることになる。
【００２６】
再び図２に戻り、スプレー本体部２０は構造上、その長手方向が一致したセンターフレーム板４０によって上下方向から挟まれ一体化した状態でベースキャップ５０上に組み付けられている。このように、センターフレーム板４０は、スプレー本体部２０をベースキャップ５０に安定して組み付けるための構体であると同時に、後述するようにカバー部３０を支持するための構体でもある。後述するスリット溝４０ａのため、カバー部３０を二分割して構成し分割した各カバー部を上記センターフレーム板に嵌合させることが可能となり、その結果、カバー部３０を含むスプレー本体部全体のデザインを変更する場合、カバー部３０のみを別部品として取り替え可能に構成することが可能となる。すなわち、センターフレーム板４０を含むスプレー本体部２０を共通部品として流用し、カバー部３０のみを取り替えることでスプレー本体部２０に多種多様なデザインを付加させることが可能となる。従って、センターフレーム板４０を含むスプレー本体部２０については金型を新たに製作する必要がないため、低コストで多種多様なデザインが付加されたスプレー本体部２０を製作することが出来るようになる。
【００２７】
センターフレーム板４０の左右両側面にはカバー部３０と嵌合するスリット溝４０ａが形成されている。なお、本実施形態では、ほぼ側面全部に渡ってスリット溝４０ａが形成されているが、スリット溝４０ａの形成範囲は一部分であっても良い。また、スリット溝４０ａは左右両側面に渡って貫通していても良い。更に、センターフレーム板４０は、本実施形態では、いわゆるＵ字状に形成されている（後方部においてアーチ部を有している）が、後述するように、その後方部において上板と下板を連結するアーチ部がなくても良い。
【００２８】
このように、本発明のトリガー式スプレー容器では、センターフレーム板４０によって、低コストで多種多様なデザインが付加されたスプレー本体部２０を製作することが出来ると供に、カバー部３０の有無に関わらずスプレー本体部２０は好適に機能することが出来るようになる。
【００２９】
図３は、本発明に係るカバー部３０を示す斜視説明図である。
このカバー部３０は、左・右カバー部３１，３２から成り、その左・右カバー部３１，３２の各構成はスプレー本体部２０の左右両側面部を覆うカバー本体３１ａ，３２ａと、センターフレーム板４０のスリット溝４０ａに嵌合する差し込み片３１ｂ，３２ｂとから成る。なお、図１は、左・右カバー部３１，３２がセンターフレーム板４０の左右両側面のスリット溝４０ａに嵌合した状態を示している。このように、カバー部３０を設計するに際し、各差し込み片３１ｂ，３２ｂがセンターフレーム板４０の各スリット溝４０ａに好適に嵌合するように設計すれば良く、従って、その他のカバー本体３１ａ，３２ａの形状については自由に設計することが出来るようになる。従って、カバー部３０を含むスプレー本体部全体のデザインを変更する場合、カバー部３０のみを別部品として取り替えることで多種多様なデザインが付加されたスプレー本体部２０を製作することが可能となる。
【００３０】
また、カバー部３０をセンターフレーム板４０に取り付ける際は、差し込み片３１ｂ，３２ｂをスリット溝４０ａに押し込めば良く、他方、カバー部３０をセンターフレーム板４０から取り外す際は、差し込み片３１ｂ，３２ｂをスリット溝４０ａから引き抜けば良いため、カバー部３０を着脱可能に構成することも可能である。
【００３１】
図４−６は、本発明のトリガー式スプレー容器の他の実施形態を示す斜視説明図である。なお、図４は本実施形態に係るスプレー本体部２０近傍を示す部分説明図であり、図５は本実施形態に係るカバー部３３を示す斜視説明図であり、図６はカバー部３３と上・下センターフレーム板４１Ｕ,４１Ｌとの嵌合を示す斜視説明図である。
このトリガー式スプレー容器２００では、図４に示すように、センターフレーム板がスプレー本体部２０の上下に分離して、上センターフレーム板４１Ｕ及び下センターフレーム板４１Ｌとして別個に構成されている。その上下センターフレーム板４１Ｕ,４１Ｌの各構成に対応して、図５に示すように、カバー部３３の差し込み片が上下に上差し込み片３４ｂ,３５ｂ並びに下差し込み片３４ｃ（図示せず）,３５ｃとして別個に構成されている。
【００３２】
更に、上記センターフレーム板４０のアーチ部に嵌合していた差し込み片については、横方向にそれぞれ延伸されて左・右フランジ部３４ｄ,３５ｄをそれぞれ形成し、右フランジ部３５ｄの接合面３５ｅと左フランジ部３４ｄの接合面３４ｅが接合片３５ｆに沿って接合することにより、閉じた曲面を形成するように構成されている。それ以外の構成については上記トリガー式スプレー容器１００と同じである。
【００３３】
図６に示すように、左・右カバー部３４,３５の上差し込み片３４ｂ,３５ｂは、上センターフレーム板４１Ｕの上スリット溝４１ａＵに嵌合し、下差し込み片３４ｃ,３５ｃは、下センターフレーム板４１Ｌの下スリット溝４１ａＬに嵌合し、そして右カバー部３５の接合面３５ｅと左カバー部３４の接合面３４ｅが右カバー部３５の接合片３５ｆに沿って接合し閉じた曲面を形成し、その結果、スプレー本体部２０が上・下センターフレーム板４１Ｕ,４１Ｌならびに左・右カバー部３４,３５によって好適に覆われるようになる。
【００３４】
なお、左・右カバー部３４,３５の上スリット溝４１ａＵ及び下スリット溝４１ａＬに嵌合しない後方部分の結合方式については、上記接合方式ではなく、他の部分のように片と溝が嵌合する結合方式であっても良い。また、本実施形態では、ほぼ側面全部に渡ってスリット溝４１ａＵ,４１ａＬが形成されているが、スリット溝４１ａＵ,４１ａＬの形成範囲は一部分であっても良い。更に、スリット溝４１ａＵ,４１ａＬは左右両側面に渡って貫通していても良い。
【００３５】
図７−９は、本発明のトリガー式スプレー容器の更に他の実施形態を示す斜視説明図である。なお、図７は本実施形態に係るスプレー本体部２０近傍を示す部分説明図であり、図８は本実施形態に係るカバー部３６を示す斜視説明図であり、図９はカバー部３６とセンターフレーム板４２との嵌合を示す斜視説明図である。
このトリガー式スプレー容器３００では、図７に示すように、センターフレーム板４２がセンターフレーム板４０と同様に後方部においてアーチ部を有しているが、スリット溝４２ａが前方部側面のみ形成され、それ以外の上記センターフレーム板４０においてスリット溝４０ａを構成していた部分については溝が除去されている。そのセンターフレーム板４２の構成に対応して、図８に示すように、カバー部３６では差し込み片３７ｂ,３８ｂに加えて、左・右嵌合リブ３７ｃ,３８ｃがカバー本体３７ａ,３８ａの各内面にそれぞれ形成されている。それ以外の構成については上記トリガー式スプレー容器１００と同じである。
【００３６】
図９に示すように、左・右カバー部３７,３８の差し込み片３７ｂ,３８ｂの前方部は、センターフレーム板４２のスリット溝４２ａに嵌合し、差し込み片３７ｂ,３８ｂの残りの部分についてはその各片の表面がセンターフレーム板４２の裏面に接合しながら、その後方部において右嵌合リブ３７ｃのカット部と左嵌合リブ３８ｃのカット部が互いに引っ掛かり合うことにより、左・右カバー部３７,３８がセンターフレーム板４２の側面に沿って密に接合するようになる。
【００３７】
なお、左・右カバー部３７,３８の後方部における結合方式については、上記カット部の引っ掛かりではなく、片と溝が嵌合する結合方式であっても良い。
【００３８】
以上、上記トリガー式スプレー容器１００,２００,３００によれば、スプレー本体部２０は上記センターフレーム板４０,４１Ｕ,４１Ｌ,４２によって上下方向から挟まれながらベースキャップ５０上に安定して組み付けられており、一方、カバー部３０,３３,３６は上記センターフレーム板の左右両側面に形成されたスリット溝４０ａ,４１ａＵ,４１ａＬ,４２ａに嵌合するように構成されている。そのため、カバー部３０,３３,３６を二分割して構成し分割した各カバー部３１,３２、３４,３５、３７,３８を上記センターフレーム板４０,４１Ｕ,４１Ｌ,４２に嵌合させることが可能となり、その結果、カバー部３０,３３,３６を含むスプレー本体部全体のデザインを変更する場合、上記センターフレーム板４０,４１Ｕ,４１Ｌ,４２を含むスプレー本体部２０については共通部品として流用する一方、カバー部３０,３３,３６については別部品として取り替え可能に構成することが出来るようになる。このように、上記センターフレーム板４０,４１Ｕ,４１Ｌ,４２を含むスプレー本体部２０を共通部品化することにより、カバー部３０,３３,３６のみを別部品として取り替えることで多種多様なデザインが付加されたスプレー本体部２０を低コストで製作することが可能となる。
また、カバー部３０,３３,３６は主に上記センターフレーム板のスリット溝４０ａ,４１ａＵ,４１ａＬ,４２ａに対してのみ嵌合部を有するため、カバー部３０,３３,３６のデザイン、引いてはスプレー本体部全体のデザインに対する自由度が高くなる。
更に、上記センターフレーム板４０,４２のように、センターフレーム板が後方部において一体化して構成されている場合は、スリット溝の長さを十分に長く確保することが可能となり、カバー部３０,３６がセンターフレーム板４０,４２に安定して結合しスプレー本体部２０を安定に覆うようになる。
更に、上記センターフレーム板４１Ｕ,４１Ｌのように、センターフレーム板が後方部においてスプレー本体部２０の上下に分離して構成されている場合は、カバー部３３の後部においてセンターフレーム板４１Ｕ,４１Ｌのスリット溝４１ａＵ,４１ａＬに嵌合する必要がなくなるため、カバー部３３のデザイン、引いてはスプレー本体部全体のデザインに対する自由度が更に高くなり、例えば、カバー部３３を後方に延伸させ全長を長くすること等が可能となる。
従って、本発明のトリガー式スプレー容器１００,２００,３００は、カバー部３０,３３,３６がないスプレー本体部２０だけでも使用することができ、それだけでも操作性およびデザイン性が高いものとなっている。当然のことながらカバー部３０,３３,３６をセットしても使用することができ、カバー部３０,３３,３６をセットすることでさらに操作性及びデザイン性が向上し、カバー部３０,３３,３６のデザイン、引いてはスプレー本体部全体のデザインについては自由度が高くなる。
【産業上の利用可能性】
【００３９】
本発明のトリガー式スプレー容器は、あらゆるトリガー式液体噴出または噴霧容器に対し好適に適用される。
【符号の説明】
【００４０】
１０                    容器本体
２０                    スプレー本体部
２１                    ポンプ部
２２                    インレットボディ部
２３                    アウトレットボディ部
２４                    ノズル部
２５                    操作レバー部
３０，３３，３６        カバー部
３１，３４，３７        左カバー部
３２，３５，３８        右カバー部
４０，４２              センターフレーム板
４１Ｕ                  上センターフレーム板
４１Ｌ                  下センターフレーム板
４０ａ，４２ａ          スリット溝
４１ａＵ                上スリット溝
４１ａＬ                下スリット溝
５０                    ベースキャップ
１００,２００,３００    トリガー式スプレー容器
【図１】
2014198583.tif 000003
【図２】
2014198583.tif 000004
【図３】
2014198583.tif 000005
【図４】
2014198583.tif 000006
【図５】
2014198583.tif 000007
【図６】
2014198583.tif 000008
【図７】
2014198583.tif 000009
【図８】
2014198583.tif 000010
【図９】
2014198583.tif 000011